(57)【要約】本発明にかかる色彩選別方法は，各種色が彩られた数十枚の色紙で形成される色札と，直円錐形態の測定錘を用いて，被測定者のメーキャップやコーディネーションに最もよく似合う色彩だけでなく，被測定者の身体の健康及び精神面に最も役立つ色彩を非常に詳細で容易に選別できる効果があって，このような選別方法により，各個人に適している色彩と適合しない色彩をより科学的かつ体系的に分類できる一つの色彩分類基準を提示できる効果がある。従って，各個人の立場から，自分に適している色彩を選択するにあたり，より幅広くて客観的な資料を確保できることで，自然の色彩調和による個人の個性演出を効果的に行えると同時に経済的な浪費も防止できる効果もあり，専門的なコーディネイターの立場からは，色彩選別作業を非常に容易に遂行することで，より質の高いサービスをより低価格で顧客に提供できるようになる。
2005534372.tif 000002
【特許請求の範囲】
【請求項１】
上下カバー紙１１の間に，相互に異なる色が彩られた数十枚の色紙１２を挿入して，各々の色紙１２が連結ピン１３を中心に回転可能なように色札１０を形成して，
頂点２１と連結部２２が重心線Ｇ上に配置される円錐形の測定錘２０を，支持台３０の上部水平台３０ａを通過させた連結紐２３の下部に振り子状にぶら下げてから揺れないように維持して，
前記色札１０から選択された一つの色紙１２を被測定者の手首３３の脈診部位の上においた状態で，測定錘２０の頂点２１と，手首３３部の上に置かれた色紙１２とが１〜２ｃｍの間隔で離隔するように，連結紐２３の上部を持って測定錘２０を持ち上げた後，
前記状態で色紙１２から発生する色彩固有の波長と，手首３３の脈から発生する人体固有の波長との相関関係による測定錘２０の自由回転の有無と回転方向および回転半径を測定して，
前記測定方式を色札１０に挿入されたすべての色紙１２を対象に行った後，各色紙１２毎に測定された値を基準にして被測定者にとって最適な色彩を選別できる，色札と錘を利用した色彩選別方法。
【請求項２】
前記色彩選別方法に使われる色札１０は，
赤色，橙色，黄色，緑色，青色，藍色，紫色のスペクトラム色が彩られた７枚の色紙である基本色紙と，
前記７枚の基本色紙のうち黄色を除いたそれぞれのスペクトラム色に，黄色を５％，１０％，１５％の割合で混合させた色が彩られた１８枚の色紙を形成して，前記各基本色紙の間に彩度と明度順に挿入された第１色札と，
前記基本色紙７枚のそれぞれのスペクトラム色に，青色と白色を１：１の比率で混合した混色を５％，１０％，１５％の割合で混合させた色が彩られた２１枚の色紙を形成して，前記各基本色紙の間に彩度と明度順に挿入された第２色札と，
前記基本色紙７枚のそれぞれのスペクトラム色に，黄色と黒色を１：１の比率で混合した混色を５％，１０％，１５％の割合で混合させた色が彩られた２１枚の色紙を形成して，前記各基本色紙の間に彩度と明度順に挿入された第３色札と，
前記基本色紙７枚のうち青色を除いたそれぞれのスペクトラム色に，青色を５％，１０％，１５％の割合で混合させた色が彩られた１８枚の色紙を形成して，前記各基本色紙の間に彩度と明度順に挿入させた第４色札と，
からなることを特徴とする，請求項１に記載の色札と錘を利用した色彩選別方法。
【請求項３】
前記色札と錘を利用した色彩選別方法を用いて被測定者に最適なものとして選別された色彩を，被測定者が着用する下着に染めて形成された，または，前記選別された色彩の生地を加工して形成された色彩下着，或いは，
前記選別された色彩を永久磁石４１の表面に一定の厚さで塗布して形成された，または，当該色彩のコーティング紙４３を永久磁石４１の表面に付着して形成されたカラー磁石４０，
の中から選択された色彩治療補助器具。
【発明の詳細な説明】
【技術分野】
【０００１】
本発明は，色札と錘を利用した色彩選別方法およびその方法を利用した色彩治療補助器具に関し，より詳細に説明すると，本発明は，色彩と人体から発生する生体信号の波長の相関関係を色札と錘を使用して測定することで，各個人に適する最適色彩を詳細かつ容易に選別できるものである。さらに詳細には，本発明は，選別された色彩を個人のコーディネーションに応用して，自然の色彩調和にともなう自分だけの個性をより効果的に演出するとともに，個人の主色彩が持つ特有の性質を把握して，将来の進路選択や学習環境造成など，多様な分野に役立つ参考資料として活用できるようにした色彩選別方法と，上記色彩選別方法を利用して，選別された色彩を人が着用する下着と磁石治療に適用することで，下着着用者により優秀な健康増進効果と病気の治療効果を提供し，永久磁石の磁力による磁気治療の効能を，色彩療法でより増大させられるようにした色彩治療補助器具に関する。
【背景技術】
【０００２】
現代人は，朝から晩まで，周辺環境の自然色彩だけでなく，各種広告媒体や周辺の建物または事務室，住居地の内部環境における人工的な色彩を含み，多様な色彩を見ながら生活する。色彩は，人間にとって，見て感じる重要な認識の手段であると同時に，人間の生活全般にわたり深く関りのある一つの感性伝達媒体である。
【０００３】
上記のような色彩を単純に物理学的に定義すると，電磁気輻射の一種，波動による光エネルギーの伝達現象として見ることができ，このような光の波動を作る多数の波長の中で，人間の目が一部の波長に反応して，視覚的な感覚を感じるが，このように人間が視覚的な感覚を持つようになる可視領域を電磁気波スペクトラムといい，その種類としては，光源または発光体から来る光の波長である光源色と，物体に反射または吸収されて見られる光の波長である物体色と，物体を透過するとみられる光の波長である透過色に分けられる。
【０００４】
従って，色彩は，単純に物体色だけを意味するのではなく，光源から発生する光エネルギーとそのエネルギー波長の流れおよびその流れの変化であると定義されて，このような色彩を研究する色彩学は，光の領域の中で，可視光線領域の電磁気波に対するエネルギーとそのエネルギーの流れおよびその流れの変化に対する物理的，化学的，生体学的な接近法（アプローチ）として定義される。
【０００５】
上記のような色彩学をより細かく整理すると，色彩自体に対する伝統的な美学的接近法を含み，各種色彩に対するエネルギー分布様子と刺激程度を物理的または光学的に究明する物理学的接近法，顔料や染料またはインクなどの化学分析と分子構造および色の塗布や塗料の合成による性質変化を糾明する化学的接近法，網膜と虹彩から大脳に達する視神経を含んだ身体組織と関連づけて研究を行う生理学的接近法，色彩固有の色感が個人の感情作用や連想作用に及ぼす影響および色彩エネルギーが人体の新陳代謝に及ぼす影響を把握して，これらの結果を心理治療や病気治療に利用する色彩治療学的接近法に分けられるが，一つの色彩計画を完成するためには上記の各接近法が総合的に適用されなければならない。
【０００６】
上記のような色彩学の接近法の中で，日常生活において最も簡単に接することができるのが美学的接近法であり，絵やデザインのような色彩芸術分野を除いて，一般人が日常生活で最も普遍的に適用できるものとしては，顔に各種色彩として化粧をしたり髪の毛を各種色でそめたりするようなメーキャップ（ｍａｋｅ  ｕｐ）を含み自分に合う色彩とデザインで製作された衣類を各種小物と調和させるコーディネーション（ｃｏｏｒｄｉｎａｔｉｏｎ）をその代表的な例にあげられるが，最近はコーディネイター（ｃｏｏｒｄｉｎａｔｏｒ）という職業が非常に脚光を浴びる程，個人が自身を外部に表出できる手段として色彩を積極的に活用している。
【０００７】
しかし，上記のようなメーキャップやコーディネーションの場合，外観にだけ現れる色彩を個人の主観的かつ瞬間的な判断で決定することが多いため，実際その色彩が外観上自分に似合うかいなかを分からないまま，メーキャップやコーディネーションを行うようになるので，すでに購入した高価な化粧品や衣類を十分に活用できずに新たに購入するという問題が生じ，これによって各個人の経済的な損失だけでなく国全体の経済的損失となる問題があった。
【０００８】
また，各個人に適する色彩を選別してくれるコーディネイターも流行する色彩とデザインおよびコーディネイターの主観的な判断により，化粧品や衣類の色彩を決定することで，上記のような問題を完全に解決することはできないことから，各個人に合う色彩を選別するためにコーディネイターが主に使用する方法は，例えば，横３０〜５０ｃｍ，縦３０〜５０ｃｍの大きさの各種色の布をいちいち被測定者の体に合わせて，被測定者と色彩がよく似合うか否かを判断するもので，この作業はコーディネイター自身と被測定者に非常に手間がかかるだけでなく，コーディネイターの作業にともなう費用が非常に高価な問題があり，このような色彩選別方法も色彩研究の先進国であるヨーロッパ一部地域だけで行われていることが実情である。
【０００９】
そして，最近は気（ａｕｒａ）に対する関心が爆発的に増大しているので，以前には気自体の大きさや形体または色といった外観的な形態がなくて，これを科学的に証明できないという理由で一部の人々には関心の対象外であったが，１９３９年にソ連の電気技術者だったキルリアン（Ｋｉｒｌｉａｎ）がソ連の著名な科学者等を集めて自分で発明した機械を用いて，人体から放射される生体エネルギーを肉眼に見せた“キルリアン写真”を皮切りにして，米国のケンダル・ジョンソンが瞑想によって弛緩した身体からはるかに広くて鮮明なオーラ（ａｕｒａ）が観察されて，さらに経穴を刺激すると，指の周囲のオーラの放出量が多くなって，気治療を受けた後の患者のオーラが，治療を受ける前と比べてより鮮明で明るくなったことを実験で検証できたので，東洋から出発した気に対する関心が西洋まで伝わる契機になっただけでなく，韓国内でも人体から放射される気を，様々な色でモニター化したオーラコム（ａｕｒａｃｏｍ）装置が大韓民国特許公開公報第２０００−１７７９３号（２０００年４月６日公開）に記載されている。
【００１０】
上記のように，人体から放射される生体エネルギーである気は，人間が生きていることを証明する身体的，精神的な根源として，東洋医学では既に昔から人体に広まっている脈を利用して，血液が循環するリズムとそのリズムから派生する生体エネルギー（波長）を感知することで，気の状態を把握して，西洋では養子物理学を利用して，このような気をエネルギーの微粒子とその波動で形成されるエネルギーの場であると定義をしている中で，現在米国で開発されている共鳴磁気分析機は人体の臓器から発生する固有の波動を感知して，どの臓器に異常があるかを診断できるもので，米国の医師だったアルバート・エイブロムズ博士は，人の臓器別にそれぞれ違う波動が放射されるだけでなく，病気によっても細菌から放射される波動が違うことを実験で証明したし，現在韓国内でも低周波電流や電磁波または音波の波動を利用して，人体の各病気を治療する波動治療方法およびその装置が，大韓民国公開特許公報第２００１−３２５１７号（２００１年４月２５日公開）に記載されている。
【００１１】
上記のように，人体から放射される気が一つのエネルギー波動であることが立証されて，上述したように，色彩もまた電磁気輻射の一種として波動による光エネルギーの伝達現象と捉えることができ，表１に記載されているように，人間が視感覚を通して感じられる可視光線スペクトラム領域の色彩が，全体周波数領域の中で，４００ｎｍ（紫色）〜７６０ｎｍ（赤色）の間にあるため，各色彩から発生する固有波長が各個人の人体から発生するエネルギー波長に影響を及ぼすということは明白である。
【００１２】
【表１】
2005534372.tif 000003
参考）１ｍ＝１，０００ｍｍ＝１，０００，０００μｍ＝１，０００，０００，０００ｎｍ＝１０，０００，０００，０００Å
１Å＝１／１０ｎｍ＝１／１０，０００μｍ＝１／１００００，０００，０００ｍ
【００１３】
しかし，従来の色彩活用分野では，このような色彩固有の波長と人体から発生するエネルギー波長との相関関係を明らかにできる方法が提示されなくて，これによってメーキャップやコーディネーションのような色彩活用面においても，色彩が個人の身体の健康或いは精神面に及ぼす影響を見過ごしたまま，外観上の色彩の調和だけを追求することによる気質上自分に合わない色彩でメーキャップやコーディネーションを行うことによって個人の身体の健康或いは精神的なダメージを誘発させる問題があって，各個人のエネルギー波長と深い相関関係を持つ色彩を利用して，各個人の気質を正しく把握して，これに基づいて，個人の性格改善，進路相談，学習環境や勤務環境の正しい造成など，色彩活用の実質的な側面において特に関ることができないという問題があった。
【００１４】
また，最近までは，上記色彩学の接近法の中で，色彩治療学的な接近法として，手術や薬物治療の代りに色彩が持つ特有の性質を利用して，各個人の身体的，精神的健康増進を図って各種病気を治癒する色彩療法が，食餌療法，瞑想療法，マッサージ療法（足反射療法），音楽療法，磁気療法などの各種自然治療療法とともに２１世紀を導いていく新しい代替医学として脚光を浴びている。
【００１５】
上記の色彩療法を最も早く治療に適用させた分野は，色彩が人間にあたえる固有の色感を利用して，被治療者に心理的安定感，活気または意欲を高め，被治療者が描いた絵でその色彩配合を捜し出し，被治療者の心理状態を把握してそれに対する助言や治療を行う精神医学分野であり，この分野では色彩における精神的，心理的治療の効果を多様な臨床実験を通して，すでに検証しただけでなく，現在は非常に幅広く活用されている。
【００１６】
上記のように精神医学分野で活用される色彩療法とともに，可視光線スペクトラム領域の色彩が持つ固有の光エネルギーを身体の特定部に照らしたり，アルミ板などに特定色彩を塗布して，身体に付着させたり，特定の色彩を持つ衣類を身体に着用による個人の健康増進を図って，人体の病気を治療するような色彩治療分野においても，その研究と実験が非常に活発に進行されている。
【００１７】
上記のように色彩を利用して，人体の健康増進と病気治療を図る色彩治療は，地球上に存在するすべての植物が太陽光線で光合成をして，生長に必要なエネルギーを得て，草食動物が植物を摂取することで，草食動物の生長に必要なエネルギーを得て，草食動物が肉食動物の餌になる自然な相関関係（食物連鎖）により，地球上に存在するすべての生命体を支える根本エネルギーが太陽光線であるという観点から始まった。
【００１８】
このような基本的な観点から始まった色彩治療に対する研究が，太陽光線を成し遂げる可視光線スペクトラム領域の各色彩から発生する固有波長と振動数が一つのエネルギー形態で人体特定部位の機能を増加させて，これによって人体の免疫機能，自衛力，自然治癒力を高めると同時に人体の新陳代謝を促進させて，各種病気の治療と予防に非常に多くの効果を与えていることが明らかになっている。
【００１９】
上記のような色彩と人体との関係を最もよく示した例としては，学生時代に熱心に本を読んで目が疲れるようになれば，山の緑色葉を見て再び本を読んだが，これは人体のエネルギーを主管する肝臓が目を通して，緑色の波長エネルギーを吸収すると，臓器の機能を活性化するようになって疲れが取れるためであり，病気治療に色彩療法を試みる自然療法治療師は，色彩を利用した治療は，薬物のように症状を曇らせたり偽装したりしないでむしろ新しい生命力で再生させ，また再建させてくれる強い自然治癒力を持っていると話している。
【００２０】
また，色彩治療と関連して，韓国自然治療医学会会長であるオ・ホングン博士は“各色が持っている特徴を知ってから，これを実生活に活用すると，健康な生活を営むのに，非常に大きい助けになる。”と言及しており，下記のように各色彩が人体に及ぼす効果を長い間の臨床実験結果に基づいて説明した。
【００２１】
１．赤色：赤色は，暖かくて刺激的であり，充血した部位を解く機能があるため，貧血患者の場合，心臓部位に赤色を一定時間照らすと，赤血球が増加し，足の裏に赤色を照らすと血液循環が円滑になる。
２．橙色：橙色は，脳の刺激や炎症減少の効果とともに動脈刺激効果および腎臓にエネルギーを与える効果があって，心理的には勇気を与える色でもある。
３．黄色：黄色は，粘液性分泌物を除去する性質があるため，風邪治療に効果的である。
４．緑色：緑色は，最も強い治療効果を持った代表的な色として，交感神経系に作用して，腎臓および肝臓の機能を助けて，公害物質に対する除毒作用も非常に強く，食品としては，各種緑色野菜，キャベツ，アスパラガス，えんどう豆，ほうれん草などがある。
５．青色：青色は，赤い色と反対となる性質を持っており，気持ちを落ち着かせて，精神的ストレスを解消させる効果があるため，不眠症などに苦しむ時には，普段多く使うピンク色のふとんよりは青色のふとんを使用することが好ましい。
６．紫色：紫色は，食欲を調節する作用があり，肥満症治療に役立ち，心臓活動を助ける機能がある。
７．オレンジ色：オレンジ色は，喘息や呼吸器疾患，筋肉収縮症，消化障害，胃潰瘍，甲状腺機能障害，その他意欲がない時に，効果があり，糖尿治療時にもオレンジ色と頻繁に接したり，脚の部分にオレンジの明かりを照らしたりすれば，インシュリンの使用量を下げる効果がある。オレンジ色がたくさん含まれていている食品としては，トウモロコシ，ジャガ芋，バナナ，パイナップル，レモン，グレープフルーツ，マクワウリ，オレンジ，ニンジン，卵，カボチャ，桃，杏などがある。
８．ピンク色：ピンク色は，身体より精神的な面に大きい影響を与えるが，体の振動を高めて，活力を与える。但し，熱があるまたは興奮し状態では，ピンク色を使用しない方が良い。
９．深紅色：赤色と紫色が合わされた色で，頭痛と偏頭痛をなくす一方，愛と同情，そして包容力を持つようになる。
【００２２】
しかし，上記のような従来の色彩治療分野でも各色彩が持つ固有波長と各個人の人体から発生するエネルギー波長との相関関係を明らかにして，個人毎に適用しなければならない治療色を細部的に分離することができなかったため，数種類の色彩が持つ特定の治療効果を大部分の人々に同じ方式で適用させることで，ある人には色彩治療に対する効果が現れるまで多少多くの時間が必要として，そしてある人は色彩治療により，特別な効果が得られない問題があって，これによって多くの場合，色彩治療とともに薬物治療のような付加的な治療方法を併用しなければならない問題が生じた。
【００２３】
また，上記のような色彩治療を行うにあたり，食前または食後２時間を経過して暗い部屋で必要な治療色の明かりを身体の特定部に照らす治療作業は専門的な治療室だけで可能であるため，割と優秀な治療効果を上げることができるが，持続的な色彩治療が難しい問題があって，特定色彩が塗布されたアルミ板や特定色で形成される衣類のような色彩治療の補助器具にも，各個人の気質特性に合う最適治療色を適用できない場合には，アルミ板を身体に付着させたり，衣類を身体に着用させたりするだけでは，色彩による個人の健康増進や各種病気の治療効果を期待しにくい問題があった。
【発明の開示】
【発明が解決しようとする課題】
【００２４】
本発明は，上記のような従来の問題点を解決するため，発明されたもので，本発明にかかる色彩選別方法は，色彩と人体から発生する生体信号の各波長の相関関係を色札と錘を用いて測定することで，各個人に適する最適色彩を，細部的に選別しやすくして，選別された色彩を個人のコーディネーションに適用して，自然の色彩調和とともに自分だけの個性の演出を，より効果的行うと同時に個人の主色彩が持つ特有の性質を把握して，将来の進路選択や学習環境の造成など，多様な分野に役立つ参考資料として活用できることを技術的課題としながら，本発明にかかる色彩治療補助器具は，上記色彩選別方法を利用して，選別された色彩を人体に着用する下着と磁石治療に適用させることで，下着着用者により優秀な健康増進効果と病気の治療効果を与えて，永久磁石の磁力による自分治療の効能を色彩療法により，より増大させることを技術的課題とする。
【課題を解決するための手段】
【００２５】
上記の技術的課題を解決するための本発明にかかる色彩選別方法は，上下カバー紙１１の間に，相互に異なる色が彩られた数十枚の色紙１２を挿入して，各々の色紙１２が連結ピン１３を中心に回転可能なように色札１０を形成して，頂点２１と連結部２２が重心線Ｇ上に配置される円錐形の測定錘２０を，支持台３０の上部水平台３０ａを通過させた連結紐２３の下部に振り子状にぶら下げてから揺れないように維持して，前記色札１０から選択された一つの色紙１２を被測定者の手首３３の脈診部位の上においた状態で，測定錘２０の頂点２１と，手首３３部の上に置かれた色紙１２とが１〜２ｃｍの間隔で離隔するように，連結紐２３の上部を持って測定錘２０を持ち上げた後，前記状態で色紙１２から発生する色彩固有の波長と，手首３３の脈から発生する人体固有の波長との相関関係による測定錘２０の自由回転の有無と回転方向および回転半径を測定して，上記測定方式を色札１０に挿入されたすべての色紙１２を対象に行った後，各色紙１２毎に測定された値を基準にして被測定者にとって最適な色彩を選別できるようにすることを特徴とする。
【００２６】
また，本発明にかかる色彩治療補助器具は，上記色彩選別方法を利用して被測定者に最も適していると選別された色彩を，被測定者が着用する下着に染めて形成された色彩下着，または，当該色彩を有する生地を加工して形成された色彩下着，或いは上記選別された色彩を永久磁石の表面に一定の厚さで塗布して形成させたカラー磁石，または当該色彩を持つコーティング紙４３を永久磁石の表面に付着して形成されたカラー磁石４０の中から選択されることを特徴とする。
【発明の効果】
【００２７】
以上説明したように，本発明にかかる色彩選別方法は，各種色が彩られた数十枚の色紙で形成される色札と，直円錐形態の測定錘を用いて，被測定者のメーキャップやコーディネーションに最もよく似合う色彩だけでなく，被測定者の身体の健康及び精神面に最も役立つ色彩を非常に詳細で容易に選別できる効果があって，このような選別方法により，各個人に適している色彩と適合しない色彩をより科学的かつ体系的に分類できる一つの色彩分類基準を提示できる効果がある。
【００２８】
従って，各個人の立場から，自分に適している色彩を選択するにあたり，より幅広くて客観的な資料を確保できることで，自然の色彩調和による個人の個性演出を効果的に行えると同時に経済的な浪費も防止できる効果もあり，専門的なコーディネイターの立場からは，色彩選別作業を非常に容易に遂行することで，より質の高いサービスをより低価格で顧客に提供できるようになる。
【００２９】
特に，被測定者のエネルギー波長と深い相関関係を持つ色彩が属する色と季節から被測定者の気質を正しく把握できる効果があって，これを基にして被測定者の性格改善や将来の進路相談および学習環境や勤務環境の正しい造成など，色彩活用の実質的な側面に非常に大きく寄与できる効果があって，被測定者の身体的，精神的健康に適している最適色彩を細部的に選び出し，これを既存の色彩治療分野に適用させるようになれば，被測定者により優秀な健康増進効果と病気の治療効果を提供できるようになるのである。
【００３０】
また，本発明にかかる色彩治療補助器具は，上記色彩選別方法により選別された最適治療色を被測定者が着用する下着と，被測定者の身体に付着する磁気治療用永久磁石に適用させることで，何種類の色彩が持つ特定の治療効果を大部分の人々に同じ方式で適用させた従来の色彩治療療法と比べて，被測定者の健康増進と病気治療に非常に大きい効果を上げるようになって，これによって色彩治療と一緒に薬物治療のような付加的な治療方法をあえて併行する必要性がないため，被測定者の健康増進と病気治療にともなう費用負担を減らせる効果があって，専門的な治療ではなく日常生活の中で治療が可能なため，優秀な治療効果を持つ色彩治療を持続的に行える効果がある。
【発明を実施するための最良の形態】
【００３１】
以下，上記の目的を達成するための本発明を，添付図を参照して詳細に説明する。
図１は，本発明にかかる色彩選別方法に使われる色札の平面図で，図２は，本発明にかかる色彩選別方法に使われる測定錘の斜視図であり，図３は，本発明にかかる色彩選別方法のための色札と錘の使用状態である。
【００３２】
本発明にかかる色彩選別方法に使われる色札１０は，図１に示されているように，プラスチックまたは厚い紙材質で形成される上下カバー紙１１の間に，互いに違う色が彩られた数十枚の色紙１２を挿入して，上下カバー紙１１と各色紙１２の一側端部には連結ピン１３を貫通させることで，上下カバー紙１１とそれぞれの色紙１２を一体形成させると同時にそれぞれの色紙１２が連結ピン１３を中心に回転可能になるように形成させる。
【００３３】
上記の色札１０に挿入される色紙１２は，可能なかぎり様々な色の色紙１２を挿入することが被測定者の気質に合う最適色彩を選別するのに好ましいが，可視光線スペクトラムを作る赤色，橙色，黄色，緑色，青色，藍色，紫色の７種類の色が彩られた７枚の色紙は最小限の基本色紙として含まれて，これと共に基本色紙の各色とその彩度（色の鮮明な程度）と明度（色の明るさと暗さを示す程度）が違う様々な色を，上記スペクトラム色を基準にして，彩度と明度順に配列させると被測定者の気質に合う主色体をより容易に選別できるようになる。
【００３４】
また，本発明の色彩選別方法に使われる測定錘２０は，図２に示されているように，頂点２１が垂直重心線Ｇ上に置かれる直円錐（二等辺三角形ＯＡＢを頂角ＡＯＢの二等分線を軸にして，１回転させて作った立方体）を使用して，上記測定錘２０の台面には測定錘２０を紐にぶら下げて固定できるように連結部２２を測定錘２０と一体形成させるが，上記連結部２２もまた頂点２１と同様に，測定錘２０の垂直重心線Ｇ上に置かれるようにする。
【００３５】
上記のように測定錘２０として円錐を使用する理由は，上記色札１０の色紙１２から放射される色彩固有の波長と被測定者の人体から放射されるエネルギー波長のような微細な波長にも敏感に反応して容易に動くだけでなく，ひとまず動き始めるとそれにともなう慣性力が作用するようなり，動きの程度が速く増大することで，その色彩が被測定者に肯定的な色彩なのか否定的な色彩なのかを容易に把握できる最適の立方体であるためでもあり，このような測定錘２０の動きをより正確に測定するため，頂点２１と連結部２２が垂直重心線Ｇ上に位置する金属材質の直円錐を使用して，上記測定錘２０の大きさは高さが約２〜５ｃｍ，下面の半径が約０．５  〜１．５ｃｍの範囲内のものを使用することが好ましい。
【００３６】
上記のように構成される色札１０と測定錘２０を使用して，被測定者に最も適する色彩を選別するためには，図３に示されているように，机やテーブルの台面に支持台３０を固定させた状態で，上記支持台３０の上部水平台３０ａを貫通して形成された挿入孔３１に掛具２３ａを備える連結紐２３を挿入させた後，連結紐２３の先端を測定錘２０の連結部２２に連結固定させることで，上部水平台３０ａの下部に測定錘２０を振り子状でぶら下げた後，測定錘２０が揺れないよう，維持されるようにする。
【００３７】
上記のような状態で，支持台３０の下部固定台３０ｂに設置された手首受け台３２上に，被測定者の手首３３部位を上げておくが，手首３３の脈診部位が上部（測定錘方向）を向かうようにすると同時に手首３３部位と測定錘２０の頂点２１が約１〜２ｃｍ程度離隔されるよう，測定者が連結紐２３の上段部を取って測定錘２０を上部に徐々に持ち上げた後，上記色札１０から選択された一つの色紙１２を回転させて，被測定者の手首３３部の上においた状態で色紙１２から発生する色彩固有の波長と，手首３３の脈から発生する人体固有の波長との相関関係による測定錘２０の動きを測定するようになる。
【００３８】
上記のように手首３３部位と測定錘２０の間を約１〜２ｃｍ程度離隔させる理由は，手首３３部位と測定錘２０の間が１ｃｍより短いと，色紙１２から発生する波長と被測定者の脈から発生する波長の中の大きい波長により測定錘２０の動きが左右されるため，各波長の相関関係による測定錘２０の動きを正確に測定することが難しくなり，手首２２部位と測定錘２０の間が２ｃｍより長くなれば，色紙１２と被測定者の脈から発生する波長が測定錘２０に到達できなくて，測定錘２０が容易に動かないためである。
【００３９】
また，色紙１２から発生する色彩固有の波長と，手首３３の脈から発生する人体固有の波長との相関関係による測定錘２０の動きは，大きく回転（左右に回転）と，不規則な動きおよび停止の三つの形態で現れるようになって，このような測定錘２０の動きによりその色彩が被測定者に及ぼす影響がわかるが，測定錘２０の動きにともなう被測定者に対する色彩の影響を表２により詳細に示す。
【００４０】
【表２】
2005534372.tif 000004
【００４１】
上記のような測定方法を色札１０に挿入されたすべての色紙１２を対象に行うことで，色札１０に挿入された各種色紙１２中から，測定錘２０が右回転した色紙１２を一次的に分離すると，その色紙１２に彩られた色彩が被測定者に適している色彩群になって，このような色彩郡の中で測定錘２０の回転角度が非常に大きくなる一つまたは二つの色彩が被測定者におけるコーディネーションだけでなく，被測定者の健康増進と病気の治療に最も適していた最適色彩になる。
【００４２】
上記のように，測定錘２０が右回転するものを被測定者に肯定的な色彩で見なして，測定錘２０が左回転するものを被測定者に否定的な色彩で見なすことは，人体の血液循環と深い相関関係がある。すなわち，人間を含んだ哺乳類や鳥類の血液循環が肺呼吸型循環系であり，このような肺呼吸型循環系は大循環（体循環）と小循環（肺循環）に分れられるが，成人の場合，左心室から起始する大循環（体循環）は，大動脈→動脈→各器官の毛細血管→静脈→大静脈→右心房の順序で流れるようになることで，心臓を中心に血液が人体の右回転方向に流れるようになり，右心室から起始する小循環（肺循環）は，肺動脈→肺毛細血管→肺静脈→左心房の順序に流れるようになることで，心臓を中心に血液が人体の左回転方向で流れるようになる。
【００４３】
上記のような人体の血液循環の中で，人体の新陳代謝および各種病気の治療と最も関連が深い血液の循環は人体の各部分に酸素と栄養を供給する大循環であり，このような大循環を行う血液の循環方向が右回転（左心室）→右心房方向であるため，測定錘２０が大きい回転半径を描きながら，右回転するということは，その色彩が持つ固有の波長（エネルギー）が被測定者の大循環に非常に良い影響を及ぼすということを意味する。
【００４４】
すなわち，その色彩が持つ固有の波長（エネルギー）が一次的には被測定者の網膜を通して脳に伝えられて，二次的には色彩固有の波長が被測定者皮膚の神経細胞と脊椎を通して脳に伝えられが，このように脳に伝えられた色彩波長が脳の中で脳幹（脳で大脳半球と小脳を除外した中軸部で，呼吸，消化，循環系および生殖界など，基本的な生命機能を担当する部分）と大脳辺縁系（感情反応と運動神経を管理する脳）を刺激することで，被測定者の血液循環と新陳代謝を促進させると同時に被測定者の身体と精神状態を良好に維持させることを助けるのである。
【００４５】
上記のように，測定錘２０の回転方向が，人体の血液循環の中で，大循環（体循環）と密接な関連を持つことが分かり，実質的に本発明にかかる測定方式を数百人の被測定者を対象に行ってから，各色彩を測定錘２０が右回転した色彩と測定錘２０が左回転した色彩に分離して，分離した各色彩を既存の色彩療法に従って被測定者に適用させた後，メルディアンのＢＡＰ（経絡能検査器）による解釈や評価および各種脈診器でもオーラコムまたは熱赤外線撮影機により，各色彩が被測定者の身体の健康及び精神面に及ぼす影響を検査した結果，表２のような測定錘の回転における被測定者に対する色彩の影響が，９５％以上の正確度を示した。
【００４６】
上記のように本発明にかかる色彩選別方法は，各種色が彩られた数十枚の色紙１２で形成される色札１０と，直円錐形態の測定錘２０を用いて，被測定者のメーキャップやコーディネーションに最も似合う色彩だけでなく，被測定者の身体の健康や精神面に最も役立つ色彩を非常に細部的かつ容易に選別できるようになって，このような選別方法により，各個人に適する色彩と適合しない色彩をより科学的かつ体系的に分類できる一つの色彩分類基準を提示できるようになる。
【００４７】
従って，色彩についてそれほど深い知識がない一般人にもその色彩が外観上，自分によく似合うかを，より容易に把握できるようになって，このように把握された色彩でメーキャップやコーディネーションすると，高く購入した化粧品や衣類を十分に使わないで新しいものを購入するような問題を未然に防止することができ，これによって個人の経済的な損だけでなく，さらには国全体の経済的損失を減らせるようになる。
【００４８】
また，各個人に適していた色彩を選別する専門的なコーディネイターの場合，上記色札１０に最大限多くの色紙１２を挿入して，本発明にかかる色彩選別方法により個人のメーキャップとコーディネーションに適する多様な色彩郡を一次的に選別しておいた後，選別された色彩郡の中から流行する色やデザインに合う色彩を個人のメーキャップやコーディネーションに適用させることで，各個人に対するより細部的かつ効率的なコーディネーションを行えるようになって，各種色の布をいちいち被測定者の体に合わせて被測定者と色彩がよく似合うかを判断した従来の色彩選別作業に比べて，色札と錘を利用した簡単かつ速い色彩選別作業により，コーディネイターと被測定者の両者にとって非常にたやすい選別作業が行われることになる。これによってコーディネイターの立場ではより安くて質の高いサービスを提供でき，被測定者の立場では自分に適する色彩を選択するにあたり，より幅広く客観的な資料を安い費用で供給を受けられるようになる。
【００４９】
それだけでなく，本発明にかかる色彩選別方法は，色彩固有の波長と被測定者の人体から発生するエネルギー波長との相関関係も測定錘の回転を通して測定できるため，被測定者のメーキャップやコーディネーションのような美学的な色彩活用分野を含み，被測定者のエネルギー波長と深い相関関係を持つ色彩から被測定者の気質を正しく把握して，これを基に被測定者の性格改善や進路相談および学習環境や勤務環境の正しい造成のような色彩活用の実質的な側面に非常に大きい寄与できるようになって，被測定者の身体的，精神的健康に適していた最適色彩を細部的に選び出し，これを既存の色彩治療分野に適用させるようになると，被測定者により優秀な健康増進効果と病気の治療効果を提供できるようになる。
【００５０】
上記のように被測定者の気質把握による色彩活用分野と被測定者に対する色彩治療分野に，本発明にかかる色彩選別方法をより効果的に適用させるためには，上記色札１０を春色，夏色，秋色，冬色からなる４種類で分類した後，被測定者が同一色において，どの季節により肯定的に反応するかで分けて測定することが望ましい。
【００５１】
すなわち，同じ色相（ある色を他の色と区別する最も大きい基準）にもその彩度（色の鮮明な程度）と明度（色の明るい程度）により色彩の固有波長とその色感が少しずつ差を表すようになって，このような各色彩は季節の変化による自然的な色彩変化と非常に密接な関連があって，各個人にもその人が生まれた季節と成長条件により各個人だけの独特の気質エネルギー波長が存在するようになるが，このような個人の気質に附合する季節別色彩を捜し出して，その人の気質をより正しく把握することが，各種色彩活用分野と色彩治療分野に，本発明にかかる色彩選別方法をより効果的に適用できるようになる。
【００５２】
まず，春色となる第１色札１０は，赤色，橙色，黄色，緑色，青色，藍色，紫色のスペクトラム色が彩られた７枚の色紙１２を基本色紙としながら，上記基本色紙７枚のうち黄色の色紙を除いた各々のスペクトラム色に，黄色を５％の割合で混合させた色が彩られた６枚の色紙１２と，黄色を１０％の割合で混合させた色が彩られた６枚の色紙１２と，黄色を１５％の割合で混合させた色が彩られた６枚の色紙１２からなる，合わせて２５枚の色紙１２で第１色札１０を形成させた後，各スペクトラム色が彩られた７枚の色紙１２の間に上記１８枚の色紙１２を彩度と明度順で挿入させた構成となる。
【００５３】
そして，夏色となる第２色札１０は，赤色，橙色，黄色，緑色，青色，藍色，紫色のスペクトラム色が彩られた７枚の色紙１２を基本色紙としながら，上記基本色紙７枚と共にそれぞれのスペクトラム色に青色と白色を１：１の比率で混合した混色を５％の割合で混合させた色が彩られた７枚の色紙１２と，上記混色を１０％の割合で混合させた色が彩られた７枚の色紙１２と，上記混色を１５％の割合で混合させた色が彩られた７枚の色紙１２からなる，合わせて２８枚の色紙１２で第２色札１０を形成させた後，各スペクトラム色が彩られた７枚の色紙１２の間に上記２１枚の色紙１２を彩度と明度順で挿入させた構成となる。
【００５４】
そして，秋色となる第３色札１０は，赤色，橙色，黄色，緑色，青色，藍色，紫色のスペクトラム色が彩られた７枚の色紙１２を基本色紙としながら，上記基本色紙７枚と共にそれぞれのスペクトラム色に黄色と黒色を１：１の比率で混合した混色を５％の割合で混合させた色が彩られた７枚の色紙１２と，上記混色を１０％の割合で混合させた色が彩られた７枚の色紙１２と，上記混色を１５％の割合で混合させた色が彩られた７枚の色紙１２からなる，合わせて２８枚の色紙１２で第３色札１０を形成させた後，各スペクトラム色が彩られた７枚の色紙１２の間に上記２１枚の色紙１２を彩度と明度順で挿入させた構成となる。
【００５５】
最後に，冬色となる第４色札１０は，赤色，橙色，黄色，緑色，青色，藍色，紫色のスペクトラム色が彩られた７枚の色紙１２を基本色紙でしながら，上記基本色紙７枚のうち青色の色紙を除外したそれぞれのスペクトラム色に青色を５％の割合で混合させた色が彩られた６枚の色紙１２と，青色を１０％の割合で混合させた色が彩られた６枚の色紙１２と，青色を１５％の割合で混合させた色が彩られた６枚の色紙１２からなる，合わせて２５枚の色紙１２で第４色札１０を形成させた後，各スペクトラム色が彩られた７枚の色紙１２の間に上記１８枚の色紙１２を彩度と明度順で挿入させた構成となる。
【００５６】
上記のように春，夏，秋，冬の色彩を持つ各色札を形成させるための混合色とその混合比率の限定理由は，赤色，橙色，黄色，緑色，青色，藍色，紫色で形成される各スペクトラム色の範囲内で各季節の色彩に合うように彩度と明度を順次的に調節するためである。
【００５７】
春色となる上記第１色札１０は，すべての色に黄色が混ざった色彩で，派手な色合いであり，鮮明，暖かい，豪華な感じを与えて，彩度と明度が高いため，明るくて躍動感があって，透明で清潔なイメージを表す色彩で形成され，夏色となる上記第２色札１０は，すべての色に青色と白色が混ざった色彩であり，軟らかくて冷たい感じを与えて，ロマンチックであり，女性らしいイメージを表すパステルトーンの色彩で形成される。
【００５８】
また，秋色となる上記第３色札１０は，すべての色に黄色と黒色が混ざった色彩であり，物静かながらも，若干落ち着いた感じを与えて，軟らかいながらも，理智的なイメージを表す色彩で形成され，冬色となる上記第４色札１０は，すべての色に青色が混ざった色彩として彩度が高くて，強いながらも落ち着いた感じを与えて，モダンかつ都会的であり，洗練されたイメージを表す色彩で形成される。
【００５９】
上記のようにスペクトラム色と共に春，夏，秋，冬色に分けられる色が彩られた各色札１０と測定錘２０を用いて，上記で説明されられたのと同じ方法で被測定者のエネルギー波長と深い相関関係を持つ色彩を，測定錘の動き（右回転→肯定的，左回転→否定的）を通して季節別に捜し出せるようになって，被測定者が持つ主色彩とその色彩が持つ季節から被測定者の気質をより正確に把握できるようになる。
【００６０】
上記のように各季節別色が彩られた４種類の色札１０による被測定者の気質把握は，スペクトラム色により大きく７種類に分類される個人の気質と，季節により大きく４種類に分類される個人の気質を，測定結果に合うように互いに組み合わせて把握するようになるが，スペクトラム色による個人気質の分類は，色彩を利用した精神的，心理的治療分野で各種臨床実験を利用して，その客観性が立証されたことがあって，各季節による個人気質の分類は，東洋医学における体質分類分野で既に昔から適用されてきたため，これについては最も特徴的な事項だけを簡略に言及することにする。
【００６１】
Ａ：スペクトラム色による気質分類
【００６２】
１．赤色系列：活気に満ちて積極的な性格を持っていて，自己主張がはっきりしており，自信と進取性が強い反面，自己中心的で独善的な傾向があり，興奮しやすいため，事物を客観的に見られない，内面的に常に激しい感情と強い欲望を隠している人である。
【００６３】
２．橙色系列：創意性が飛び抜けて独立意識が強いし，瞬間的な発想とアイディアが豊富で，社交的であり，理解心が多い反面，主観が強く，一途に思い込む性格が現れて，長期的な計画を実践するのに困難で，慎重さと深い思慮が足りないため，誤る傾向が多い人である。
【００６４】
３．黄色系列：ユーモア感覚が飛び抜けて，社交的な性格で社会的関係にたけていて，事務と実務に手腕が良く，未来指向的であり，自由な考え方の持ち主である反面，目標を高くつかみ，挫折する場合が多く，周辺の人々から多少軽いという評価を受ける人である。
【００６５】
４．緑色系列：多情多感であり，人間関係が良くて，努力しようとする意欲と忍耐強く，持久力が強くて，道徳的で礼儀正しく，責任感が非常に強い反面，弁解を苦手としていて，途中で退いたり，止めたりするような行動が非常に嫌いで，融通性がないとしばしば言われる人である。
【００６６】
５．青色系列：他人に対する理解と包容があって，円満な人間関係を維持して，自制心が飛び抜けて，簡単に興奮しないで常に客観的であり，中立的な見解で物事を接するのに対して，良心的で寡黙な性格で他人に嫌いという意志を簡単に表現できなくて，感情表現にも過度に迂迴的な側面がある。
【００６７】
６．藍色系列：細心で冷徹であり，緻密で几帳面な性格で相手の気持ちを推し量り，思慮深い行動をして，自分管理能力が飛び抜けて他人にいやな話をしない反面，知識と権威を前面に出し，保守的で正直な行動をとる方で，内面的に怒りをしずめて感情をよく隠す人である。
【００６８】
７．紫色系列：直観力が良い天性をもっており，想像力もまた飛び抜けて，物静かに自身の内面をのぞいて見ることができる感受性と温和さが深い人である反面，小心で内省的な性格で空想や雑念が多く，決断力や推進力が不足し，無感情的で非現実的な認識をしばしば持つ人である。
【００６９】
Ｂ：各季節による気質タイプ
【００７０】
１．春タイプ：春タイプは，気質的に春のように明るくて，楽天的な性格の持ち主で，様々な仕事に喜び，他人にも楽しみを与えようとする人であり，人間と物質を関係中心的に処理して対人関係にも適応力が飛び抜けて，人怖じをほとんどしないタイプで，他人の前に出ることを好み，問題発生時に瞬間的に手にあるものを巧妙に扱って解いていく臨機応変の能力がある反面，意欲を失いやすく，ことを最後まで推進できなかったり規則を遵守できなかったりして，組織内の他人に迷惑をかけて，誰かにコントロールされることを嫌いな優越感と自負心をもっており，簡単に心の傷を受けやすく，他人の仕事に関心を持つよりは自分に対する他人の関心度をより重要視して，細かくて几帳面な部分を軽視する傾向がある。  職業としては，司会者，弁護士，マケッティング分野，ジャーナリスト，独創的な革新家によくあるタイプである。
【００７１】
２．夏タイプ：夏タイプは，気質的に緻密であり，見識と思慮が深い性格の所有者で，持久力があり，何事にも着実で粘り強いため，一度決心したことは必ず成し遂げて，他人の福祉と同僚を助けることに躊躇しないで，それによって純粋な喜びを感じる重厚な人格と深さを持って，虚勢を張らないで原理原則の生活の中で共同の利益のため，努力する指導力が卓越して，過去や現在および未来に対して現実的なビジョンを持っているのに対して，自分をなかなか表現しようとしない上に，表現も下手であるため，あることを遂行するにあたり，表に出ることがないし，過度に完ぺき主義的な傾向を持っているため，周囲のささいな批判にも簡単に傷づく傾向がある。職業としては，作曲や詩，小説，戯曲のような芸術分野や数学的なものを扱う分野または人中心の価値を重視する分野に適したタイである。
【００７２】
３．秋タイプ：秋タイプの人は，気質的に温和で安らかであり，感性的な性格の持ち主で，相手方の気持ちを誰よりもよく理解して感性的な部分が多く，包容力を持って人間関係を解いて，言葉よりは黙々と自分の仕事を遂行しながらも，そのことにひそやかな情熱をもって，自発的に行動する中で，すべてに真面目になろうと努力することで，結果よりは過程をより重視する人という評価を受けるのに対して，過度に独自主義的な指向があって，他人との関係に縛られるのを望まないで，他人から受けた心の傷を簡単に表情に出せなくて他人の感情に対する過敏反応と緊張により身体的，精神的にストレスを受けらやすく，抱えている仕事を終わる前に違うことに移りやすく，細かい事項を見過ごす傾向がある。職業としては，想像力とインスピレーションをもって芸術分野で成功する人が多く，直接主人公の役割をするよりは助演として主人公に劣らない役割ができる分野に適した人である。
【００７３】
４．冬タイプ：冬タイプの人は，気質的に力と自信満々な性格の持ち主で，冷たいようで物静かで動的であり，自分が正しいと信じることならば，考えた通り押し進める底力と推進力があって，何かことが起きれば，論理的かつ合理的に問題を解いて，細かな部分に明るく，正しくて実質的な面に興味を持つことで，娯楽よりは仕事をする環境で人と付き合いやすく，独立的であり，責任と義務を誠実に遂行するのに対して，他人のフィードバックと提案をあまり受け入れられず，情緒表現に非常に下手で，自分の理想を追求するにあたり，相異なビジョンを持った人の接近と挑戦を過度に恐れて非現実的なアイディアに執着する傾向がある。職業としては，複雑なものを扱って，直観力と洞察力が活用できる科学研究，エンジニアリング，発明，政治分野や文学にも随筆よりは思想や哲学的な思考を要する学問に適していたタイプである。
【００７４】
上記のように，春色，夏色，秋色，冬色で形成される４種類の色札１０と測定錘２０を使用して，被測定者の気質を測定することで，測定錘２０が右回転した色彩がいかなる色と季節に属する色彩なのかをとても簡単に把握できるようになったことで，その色彩が含まれる色による個人の固有気質と，その色彩が含まれる季節による個人の固有気質を組み合わせて，被測定者の主気質を正確かつ細かい部分まで把握できるようになり，またその気質の問題と長所もまた明確に把握できるようになる。
【００７５】
従って，被測定者の気質測定結果，被測定者の主気質で現れる精神的，心理的な問題は，専門家の心理相談と治療を通して，被測定者に精神的，心理的な安定感や活気，意欲などを，教育的な分野では被測定者の気質にともなう長所と適性を捜し出し，正しい進路選択ができるように支援するため，学習効果の向上の側面で非常に大きい効率を上げることができるようになるだけでなく，社会的な活動分野でも被測定者の気質に合う役割や業務を捜し出し，適材適所的に，最も適する人材を配置できるようになることで，個人的な業務能率の向上とともに企業の生産性向上に大きく寄与できるようになる。
【００７６】
また，メーキャップやコーディネーションのような色彩活用分野にも被測定者の個人的な外観に合う色彩を被測定者の雰囲気と似合う季節別に選択して適用させることで，被測定者により自然な形で色彩の調和をなすとともに，既存の色彩治療分野にも被測定者の気質と合う季節別色彩を治療に適用させることで，被測定者の身体的，精神的健康増進により大きい効果を上げられるようになる。また，このような個人的な色彩活用分野以外にも教室や事務室のような各種住居環境の内部インテリア，特定消費者層に的を絞った広告など，産業経済の全般にわたった多様な色彩活用分野に非常に役立つように適用できるようになる。
【００７７】
以下，上記色彩選別方法を用いた本発明にかかる色彩治療補助器具を，添付図を参照して詳細に説明する。
【００７８】
図４の（ａ）および（ｂ）は，本発明にかかる色彩治療補助器具のうち，カラー磁石を表す断面図である。
【００７９】
本発明にかかる色彩治療補助器具は，色札１０と測定錘２０を用いて，被測定者に適した色を細部的に選別するようにした上記の色彩選別方法により，被測定者の健康増進と病気治療に最も効果的であると選別された一つまたは二つの色彩を被測定者が着用する下着と磁気治療用永久磁石に適用させた色彩治療下着とカラー磁石の２種類で形成される。
【００８０】
まず，本発明にかかる色彩治療補助器具の中で，上記色彩治療下着は，上記色彩選別方法を利用して，被測定者に最も適していたことで選別された一つまたは二つの色彩を被測定者が着用する下着に染めて形成させたり，その色彩で形成される生地を加工したりして形成されており，上記カラー磁石４０は，図４の（ａ）に示されているように，上記色彩選別方法を用いて，被測定者に最も適していたと選別された一つまたは二つの色彩を永久磁石４１の表面に一定の厚さで塗布して形成させたり，図４の（ｂ）に示されているように，その色彩を持つコーティング紙４３を永久磁石４１の表面に付着して形成させた構成となっている。
【００８１】
また，永久磁石４１の上・下表面の全体にわたり，塗布層４２やコーティング紙４３を形成することが望ましいが，磁力線が放出されるＮ極の部分にだけ塗布層４２やコーティング紙４３を形成しても，上・下表面に塗布する場合と比べて，その治療効果はほとんど差が生じない。
【００８２】
上記のように本発明にかかる色彩治療補助器具を色彩治療下着とカラー磁石４０に限定する理由は，可視光線スペクトラム領域の色彩が持つ固有の光エネルギーを身体の特定部位に照らす照明装置や，アルミ版などに特定色彩を塗布して，身体に付着させるようにしたのと，特定の色彩を持つ衣類を身体に着用するような従来の色彩治療補助器具と比べて，日常生活においても被測定者に対する持続的な治療が可能なだけでなく本発明の色彩選別方法を前提として，被測定者に対する治療を簡便に遂行すると同時にその治療効果を上げられる最適な治療補助器具だからである。
【００８３】
上記のような本発明の色彩治療補助器具の中で，色彩治療下着を被測定者に適用させることは，被測定者に特定の病気がない場合と，特定の病気がある場合の二つに分けられるが，被測定者に特定の病気がない場合は，上記色彩選別方法を用いて，被測定者の身体的，精神的健康に最も適していたもので，選別された色彩をそのまま下着で被測定者が着用することで，被測定者の身体の健康，精神面への増進を持続的に図ることができ，被測定者に特定の病気がある場合は，その病気に適していた治療色を下着に適用すると，その治療色の中で，被測定者の気質に合う季節別色彩を細部的に選別して適用させることで，被測定者の病気に対する持続的な治療とともに病気の治療効果を高められるようにする。
【００８４】
また，本発明にかかるカラー磁石４０は，被測定者に特定の病気がない場合にも適用させられるが，被測定者に特定の病気がある場合に適用させることが一般的であり，永久磁石の磁力を利用して，病気を治療するようにした既存の磁石療法のように，病気が発生した患部でも，その患部を治める内臓器に該当する部位またはその内臓器の活性化と関係ある各種経穴や脊椎の各関節の部分にその病気に適していた治療色を持つカラー磁石４０を付着させることで，被測定者の病気に対する持続的な治療とともに磁気治療と色彩治療の併用にともなう病気の治療効果を上げるようにして，カラー磁石４０による被測定者の病気治療効果を上げるためには，上記説明の通り，その治療色の中で，被測定者の気質に合う季節別色彩を細部的に選別して適用させることが望ましい。
【００８５】
上記のように本発明にかかる色彩治療補助器具は，各色彩が持つ固有波長と被測定者の人体から発生するエネルギー波長との相関関係を明らかにすることで，被測定者に適用する治療色を細部的に分離させた本発明の色彩選別方法を前提として，被測定者が着用する下着や被測定者の身体に付着する磁気治療用永久磁石に最適の治療色を付けることで，何種類の色彩が持つ特定の治療効果を大部分の人々に同じ方式で適用させた従来の色彩治療療法に比べて，被測定者の健康増進と病気治療に非常に大きい効果が得られるようになって，これによって色彩治療と一緒に薬物治療のような付加的な治療方法をあえて併行する必要がないために被測定者の健康増進と病気治療にともなう費用負担を減らすことができ，専門的な治療室でない日常生活の中での治療が可能なため，優秀な治療効果を持つ色彩治療を持続的に行えるようになるのである。
【００８６】
実際に，本発明にかかる色彩治療補助器具を数百人の被測定者を対象にして，一定期間の間，臨床実験を行った結果，色彩治療下着の場合は，薬物治療のような付加的な治療を併行しないで，色彩治療下着を被測定者の身体に着用させただけでも既存の色彩治療療法に比べて，その治療効能を２０％以上向上することができ，薬物治療のような付加的な治療を色彩治療下着と一緒に併行する場合は，その治療期間を３０％以上顕著に短縮できたことが検証された。
【００８７】
カラー磁石４０の場合には，単純に永久磁石の磁力を利用した一般的な磁気療法に比べて，その治療効能と治療期間を各々３０％以上向上させられて，被測定者に対する治療色の中で，被測定者の気質に合う季節別色彩を細部的に選別して適用させた場合は，その治療効能と治療期間を最大４５％まで向上させたことが検証された。
【図面の簡単な説明】
【００８８】
【図１】本発明にかかる色彩選別方法に用いられる色札の平面図。
【図２】本発明にかかる色彩選別方法に用いられる測定錘の斜視図。
【図３】本発明の色彩選別方法に用いられる色札と錘の使用状態図。
【図４】本発明にかかる色彩治療補助器具の中で，カラー磁石を示す断面図。
【符号の説明】
【００８９】
１０      色札
１１      カバー紙
１２      色紙
１３      連結ピン
２０      測定錘
２１      頂点
２２      連結部
２３      連結紐
２３ａ    掛け具
３０      支持台
３０ａ    上部水平台
３０ｂ    下部固定台
３１      挿入孔
３２      手首受け台
３３      手首
４０      カラー磁石
４１      永久磁石
４２      塗布層
４３      コーティング紙
【図１】
2005534372.tif 000005
【図２】
2005534372.tif 000006
【図３】
2005534372.tif 000007
【図４】
2005534372.tif 000008
【国際調査報告】
2005534372.tif 000009